(57)【要約】【課題】吊り上げ時の受筒ユニットのバランス取りが容易であり、組み立て時の作業性を向上させたドラム式洗濯機を提供すること。【解決手段】洗濯水が供給される受筒ユニット３と、前記受筒ユニット３の上部に設けられ、フックを引掛ける引掛け部５２とを備え、引掛け部５２は、受筒ユニット３の重心点Ａの鉛直平面上に設けることによって、吊り上げ時の受筒ユニット３のバランス取りが容易であり、組み立て時の作業性を向上させることができる。【選択図】図１
2012217532.tif 000002
【特許請求の範囲】
【請求項１】
洗濯水が供給される受筒ユニットと、
前記受筒ユニットの上部に設けられ、フックを引掛ける引掛け部とを備え、
前記引掛け部は、前記受筒ユニットの重心点の鉛直平面上に設けたドラム式洗濯機。
【請求項２】
前記受筒ユニットは上部に錘を備え、
前記錘に引掛け部を設けた請求項１に記載のドラム式洗濯機。
【請求項３】
前記引掛け部を複数備えた請求項１または２に記載のドラム式洗濯機。
【発明の詳細な説明】
【技術分野】
【０００１】
本発明は、水槽内に配設した洗濯槽又は回転ドラムを回転駆動することにより洗濯、すすぎ、脱水の各工程を実施する洗濯機に関する。
【背景技術】
【０００２】
従来、ドラム式洗濯機は、回転ドラムの回転軸を略水平または傾斜させて配設している（例えば、特許文献１参照）。
【０００３】
従来例を図４を用いて説明する。図４は、従来のドラム式洗濯機の断面図である。受筒ユニット９５は、水槽９３内に回転ドラム９２を収容し、回転ドラム９２の回転軸９２ａを水槽９３の背面に設けられた軸受６８で軸支すると共に回転軸９２ａにドラム駆動モータ９７を連結して構成されている。受筒ユニット９５は洗濯機筐体９６内に前上がりの状態に傾斜させて配設され、洗濯機筐体９６の基底部に取り付けられた左右一対の防振ダンパー７０によって、その重量が支持されている。受筒ユニット９５は、その背面側に軸受６８やドラム駆動モータ９７などの重量の大きな構成要素が取り付けられているため、重心位置は背面寄りにあり、防振ダンパー７０は受筒ユニット９５をその重心位置より正面側寄りの下方で支持している。更に、水槽９３の上部に固定された上部支持金具７５と洗濯機筐体９６の上面との間に第１のコイルバネ７１が架設され、受筒ユニット９５を正面側及び上方側に向けて付勢している。コイルバネ７１ａの架設により重心位置より正面側寄りで防振ダンパー７０により支持された受筒ユニット９５が背面側に倒れる状態になるのが補正される。コイルバネ７１ａに加えて受筒ユニット９５の防振ダンパー７０による支持高さ位置より下方の背面と、洗濯機筐体９６の背面との間にコイルバネ７１ｂを架設することで、受筒ユニット９５が背面側に倒れる状態をより確実に補正している。
【先行技術文献】
【特許文献】
【０００４】
【特許文献１】特開２００５−１３７６４３号公報
【発明の概要】
【発明が解決しようとする課題】
【０００５】
このようなドラム式洗濯機の製品組立工程においては、受筒ユニットを本体へ設置する際に、受筒ユニットをクレーン等により吊り上げて本体内へ装着する。しかしながら、前記従来構成のドラム式洗濯機の場合、重量の大きな構成要素が取り付けられているため、重心位置が背面寄りにあり、吊り上げた際のバランスが取れず受筒が傾いてしまう。そのため、本体への取り付け作業が困難であるという課題を有していた。
【０００６】
本発明は、前記従来の課題を解決するもので、吊り上げ時の受筒ユニットのバランス取りが容易であり、組み立て時の作業性を向上させることを目的とする。
【課題を解決するための手段】
【０００７】
前記従来の課題を解決するために、本発明のドラム式洗濯機は、洗濯水が供給される受筒ユニットと、前記受筒ユニットの上部に設けられ、フックを引掛ける引掛け部とを備え、前記引掛け部は、前記受筒ユニットの重心点の鉛直平面上に設けたものである。
【０００８】
これによって、吊り上げ時の受筒ユニットのバランス取りが容易であり、組み立て時の作業性を向上させることができる。
【発明の効果】
【０００９】
本発明のドラム式洗濯機は、受筒吊り上げ式の組み立て工程において、受筒ユニットのバランス取りを容易に行えるので、組み立て時の作業の効率化を図ることができる。
【図面の簡単な説明】
【００１０】
【図１】本発明の実施の形態１のドラム式洗濯機の断面図
【図２】（ａ）本発明の実施の形態１の受筒ユニットの上面図（ｂ）本発明の実施の形態１の受筒ユニットの側面図
【図３】（ａ）本発明の実施の形態２の受筒ユニットの上面図（ｂ）本発明の実施の形態２の受筒ユニットの側面図
【図４】（ａ）本発明の実施の形態３の受筒ユニットの上面図（ｂ）本発明の実施の形態３の受筒ユニットの側面図
【図５】従来のドラム式洗濯機の断面図
【発明を実施するための形態】
【００１１】
第１の発明のドラム式洗濯機は、洗濯水が供給される受筒ユニットと、前記受筒ユニットの上部に設けられ、フックを引掛ける引掛け部とを備え、前記引掛け部は、前記受筒ユニットの重心点の鉛直平面上に設けたものである。
【００１２】
このような構成により、吊り上げ時の受筒ユニットのバランス取りが容易であり、組み立て時の作業性を向上させることができる。
【００１３】
第２の発明は、特に、第１の発明のドラム式洗濯機は、前記受筒ユニットが上部に錘を備え、前記錘に引掛け部を設けたものである。このような構成により、スペース、受筒ユニット成形の金型構成等の都合により、受筒ユニットの本体部に引掛け部を設けることが困難な際にも、受筒ユニットに引掛け部を形成することができる。また、受筒ユニット本体部が樹脂成形されている場合に引掛け部を形成すると、強度が不十分になる可能性があるが、錘に引掛け部を取り付けることで、引掛け部の破壊に対する安全率を向上させることができる。
【００１４】
第３の発明は、特に、第１または２の発明のドラム式洗濯機は、前記引掛け部を複数備えたものである。このような構成により、部品、或いは組立てのバラツキによって生じる傾きを、複数の引掛け部で微調整することにより、同様の傾き角度を維持することができる。また、複数の引掛け部を設けているので、それぞれの引掛け部に加わる応力を分散することができ、引掛け部の破壊に対する安全率を向上させることができる。
【００１５】
以下、本発明の実施の形態１〜３について、図面を参照しながら説明する。なお、実施の形態によって本発明が限定されるものではない。
【００１６】
（実施の形態１）
図１は本発明の実施の形態１のドラム式洗濯機の断面図を示すものである。
【００１７】
洗濯槽である回転ドラム５と、回転ドラム５を収容する受筒ユニット３とを水平方向から前面上向き方向に角度θで傾斜させて洗濯機筐体２内に配設している。洗濯機筐体２の正面を傾斜させた傾斜面に設けられた扉体８から回転ドラム５内への洗濯物の出し入れを容易にした斜めドラム形式のドラム式洗濯機１に構成されている。
【００１８】
回転ドラム５は、有底円筒形の開口部側を洗濯機筐体２の正面側に、底面側を洗濯機筐体２の背面側にして受筒ユニット３内に回転可能に収容されている。回転ドラム５の回転軸心Ｒは正面側から背面側に向けて角度θで下向き傾斜となっており、受筒ユニット３内は回転ドラム５とほぼ同角度で配置されている。
【００１９】
回転軸１５は受筒ユニット３の背面に設けられた軸受１６で軸支されている。回転軸１５には従動プーリ１８が装着され、受筒ユニット３の下面に取り付けられたドラム駆動モータ４の回転駆動軸に装着された駆動プーリ１７との間に駆動ベルト１９が架設されたベルト駆動構造に構成され、ドラム駆動モータ４によって回転ドラム５は回転駆動される。
【００２０】
回転ドラム５の周面には多数の透孔２０が形成されて受筒ユニット３内との間で水の通水および空気の通気ができるように構成されている。回転ドラム５の内周面の複数位置には撹拌突起２１が設けられ、回転ドラム５の回転により洗濯物を上方に持ち上げ、上方から落下させる叩き洗いの作用がなされるように構成されている。
【００２１】
また、受筒ユニット３は、本体３ａと蓋体３ｂとを連結した構造に形成され、軽量化を図ると同時に様々な構成要素の構築及び接続が容易に行い得るように樹脂成形によって形成されている。
【００２２】
受筒ユニット３は、図示しないサスペンション構造により洗濯機筐体２内に支持される。洗濯機筐体２を構成する側板６は制振鋼板等により形成されている。洗濯機筐体２は要所に補強部材、制振部材などを配している。側板６は樹脂成形されている台枠２５上に配設されており、また、受筒ユニット３は台枠２５上にダンパ（図示せず）を介して揺動可能に配設されている。台枠２５は防振機能を備えた複数の防振支持脚２４を底部に設けている。
【００２３】
図２（ａ）は、本発明の実施の形態１の受筒ユニットの上面図である。図２（ｂ）は、本発明の実施の形態１の受筒ユニットの側面図である。
【００２４】
図２において受筒ユニット３の上部には、フックを引掛ける引掛け穴５２が設けられている。引掛け穴５２は受筒ユニット３の重心点Ａの鉛直平面上に位置している。
【００２５】
本発明の実施の形態１によれば、上記構成により、受筒ユニット３を吊り上げた状態においても、製品状態での受筒ユニット３の傾き角度と同様の傾き角度を維持することができる。よって、組み立て時において本体に設置する際のサスペンション等の接続において、容易に作業遂行ができるので作業性を向上させることができる。
【００２６】
また、受筒ユニット３は吊り上げ時の受筒ユニットのバランス取りが容易であり、本体への配置時にフック５０が外れて落下してしまうなどの危険を回避することができる。
【００２７】
（実施の形態２）
図３（ａ）は、本発明の実施の形態２の受筒ユニットの上面図である。図３（ｂ）は、本発明の実施の形態２の受筒ユニットの側面図である。
【００２８】
洗濯水が供給される受筒ユニット６３の上部には鋳物である錘５１が設けられている。錘５１には、吊り上げ用の引掛け穴６２（引っ掛け部）が、受筒ユニット６３の重心点Ａの鉛直平面上に前後に２箇所設けられている。引掛け穴６２ａは受筒ユニット６３の重心点の鉛直上に、引掛け穴６２ｂは、錘５１の背面側に設けられている。
【００２９】
以上のように構成された受筒ユニット６３においては、スペース、受筒ユニット６３の成形の金型構成等の都合により、受筒ユニット６３本体に穴を設けることが困難な際にも、受筒ユニット６３の引掛け穴６２を形成することができる。
【００３０】
また、樹脂成形されている受筒ユニット本体部に引掛け穴を形成すると、フック６０ａ、６０ｂにより吊り上げた場合、強度が不十分となり、受け筒ユニットのバランスが崩れたり、引掛け穴が破壊したりする可能性がある。錘５１に引掛け部を取り付けることで、引掛け部の破壊に対する安全率を向上させることができる。
【００３１】
なお、実施の形態２においては、錘に引掛け穴６２を設けた場合を例に説明したが、錘５１に限られず、その他の部品に引掛け穴を設けてもよい。
【００３２】
（実施の形態３）
図４（ａ）は、本発明の実施の形態３の受筒ユニットの上面図である。図４（ｂ）は、本発明の実施の形態３の受筒ユニットの側面図である。
【００３３】
洗濯水が供給される受筒ユニット７３の上部には、フックを引掛ける引掛け穴７２が設けられている。引掛け穴７２は、受筒ユニット７３の重心点Ａの鉛直平面上に２箇所設けられている。引掛け穴７２ａは受筒ユニット７３の重心点Ａの鉛直上に、引掛け穴７２ｂは引掛け穴７２ａよりも背面側に設けられている。
【００３４】
本発明の実施の形態３によれば、上記構成により、受筒ユニット７３を吊り上げた状態においても、部品、或いは組立てのばらつきによって生じる傾きを、フック７０ｂにより微調整することができる。このような構成により、精密に製品状態での受筒ユニット７３の傾き角度と同様の傾き角度を維持することができる。これによって本体に設置する際のサスペンション等の接続において、容易に作業遂行ができる。
【００３５】
また、引掛け穴７２が複数設けられているため、引掛け穴７２に加わる応力を分散することができ、引掛け穴７２の破壊に対する安全率を向上させることができる。
【００３６】
また、受筒ユニット７３の吊り上げ状態でのバランスが取れているため、本体への配置時にフック７０ａおよび７０ｂが外れて落下するなどの危険を回避することができる。
【００３７】
なお、本発明の実施の形態３では、引掛け穴７２を２つとしたが、これに限られるものではなく、要は受筒ユニット７３のバランスが取りやすければよいので、３つ以上の引掛け穴を設けてもよい。
【産業上の利用可能性】
【００３８】
以上のように、本発明にかかる電解装置は、安価に構成できるので家庭用の洗濯機、食器洗い機などの洗浄機器に登載可能である。
【符号の説明】
【００３９】
１    ドラム式洗濯機
２    洗濯機筐体
３、６３、７３  受筒ユニット
３ａ  本体
３ｂ  蓋体
５    回転ドラム
６    側板
８    扉体
１５  回転軸
１６  軸受
１７  駆動プーリ
１８  従動プーリ
１９  駆動ベルト
２０  透孔
２１  撹拌突起
５０、６０ａ、６０ｂ、７０ａ、７０ｂ  フック
５２、６２、６２ａ、６２ｂ、７２、７２ａ、７２ｂ  引掛け穴（引掛け部）
５１  錘
Ａ    重心点
【図１】
2012217532.tif 000003
【図２】
2012217532.tif 000004
【図３】
2012217532.tif 000005
【図４】
2012217532.tif 000006
【図５】
2012217532.tif 000007